(57)【要約】【課題】バッグ等の底鋲において、底鋲先端部の汚れが衣服に付着してしまったり、屋内に持ち込まれて、清潔であるべき屋内を汚染してしまうことがない底鋲を提供する。【解決手段】鋲と蓋から成り、鋲をバッグ等の底面に固定する手段を有し、蓋を鋲に付け外し式に固定する手段を有することを特徴とするバッグ等の蓋付き底鋲。【選択図】図１
2018110821.tif 000002
【特許請求の範囲】
【請求項１】
鋲と蓋から成り、鋲をバッグ等の底面に固定する手段を有し、蓋を鋲に付け外し式に固定する手段を有することを特徴とするバッグ等の蓋付き底鋲。
【請求項２】
前記の、蓋を鋲に固定する手段が、鋲を磁性材料でできたつば部と、非磁性材料でできた軸部と、つば部に固定した磁石から構成し、磁性材料でできた蓋を鋲に固定する際につば部に磁力で吸着するようにしたことを特徴とする請求項１に記載のバッグ等の蓋付き底鋲。
【請求項３】
前記の、鋲をバッグ等の底面に固定する手段が、鋲側に貼付された粘着体であることを特徴とする請求項１に記載のバッグ等の蓋付き底鋲。
【請求項４】
前記の蓋を前記の鋲に固定した際に鋲の先端部と蓋の内面に隙間ができることを特徴とする請求項１に記載のバッグ等の蓋付き底鋲。
【発明の詳細な説明】
【技術分野】
【０００１】  本発明は、先端部に脱着可能な蓋を設けたバッグ等の底鋲に関するものである。
【背景技術】
【０００２】  従来、バック等を地面等に置いた際にバック等の底が汚れたり傷んだりするのを防ぐ手段として、複数の底鋲を予めバック等の底に取り付ける、または後から取り付けるなどして、バック等の底を地面等から浮かせるといった方法があった。（特許文献１参照）
【先行技術文献】
【特許文献】
【０００３】
【特許文献１】特開２００６−１３０２５２号公報
【発明の概要】
【発明が解決しようとする課題】
【０００４】  しかしながら、従来の底鋲には次のような問題があった。
バッグ等の底を地面等から浮かせても、底鋲の先端部が汚れるため、その汚れが衣服に付着してしまったり、屋内に持ち込んでバッグ等を置いた際に、清潔であるべき屋内を汚染してしまう。
本発明は、これらの問題点を解決するためになされたものである。
【課題を解決するための手段】
【０００５】  本発明は、鋲と蓋から成り、鋲をバッグ等の底面に固定する手段を有し、蓋を鋲に付け外し式に固定する手段を有することを第一の特徴とするバッグ等の蓋付き底鋲である。また前記の、蓋を鋲に固定する手段が、鋲を磁性材料でできたつば部と、非磁性材料でできた軸部と、つば部に固定した磁石から構成し、磁性材料でできた蓋を鋲に固定する際につば部に磁力で吸着するようにしたことを第二の特徴とする。また前記の、鋲をバッグ等の底面に固定する手段が、鋲側に貼付された粘着体であることを第三の特徴とする。また前記の蓋を鋲に固定した際に鋲の先端部と蓋の内面に隙間ができることを第四の特徴とする。
【発明の効果】
【０００６】  本発明によれば、屋外の地面等や不衛生な床にバッグ等を置かなければならない際は、蓋を鋲より取り外した状態とし、バッグを持ち運んだり、清潔な屋内に持ち込んでバッグ等を置く際は、蓋を鋲に固定した状態とすることにより、鋲の先端部に付着した汚れが衣服に付着したり、清潔な屋内を汚染することを防ぐことができる。本発明の第二の特徴によれば、蓋を鋲に対して脱着する作業を素早く簡単にできるうえ、蓋が鋲の軸部に磁力で吸着されることがないため、脱着作業を阻害しない。本発明の第三の特徴によれば、鋲をバッグ等の底面に固定する際に、バッグ等の底面に穴を開ける必要を無くすことができる。本発明の第四の特徴によれば、バッグを地面等に置いた時に軸部の先端部に付着した汚れが蓋の内面に付着することを防ぐため、蓋を使用しない時に、蓋の内面に付着した汚れが剥離し、周囲を汚染することを防ぐことができる。
【図面の簡単な説明】
【０００７】
【図１】  本発明において底鋲をバッグに取り付けた、および取り付けようとしている実施例を示す断面図
【図２】  本発明における実施例１の断面図
【図３】  本発明における実施例２の断面図
【発明を実施するための形態】
【０００８】  以下、本発明の実施の形態について説明する。
図１は本発明を実施した底鋲を取り付けたバッグの断面図であり、取り付ける底鋲の数は通常は４個以上の複数とする。バッグ底面１は底鋲と底鋲の間の部分がたわんで地面等に触れない程度に固いものが望ましい。バッグ底面１に鋲２を固定し、鋲２の先端部と側面部を覆える形状の蓋３を鋲２に固定できるようにする。
【実施例１】
【０００９】  図２は、本発明を実施した底鋲の例の断面図である。鋲は軸部４と取り付けねじ５で構成されている。軸部４は円柱形状の上部に円盤形状、下部に半球形状を組み合わせた形状をしており、半球形状部が鋲の先端部となり、円柱形状部が鋲の側面部となる。軸部４の上面中央にはねじ部６ａが設けられていて、取り付けねじ５がバッグ底面１に開けられた穴を通ってねじ部６ａとかみ合い、締めこまれることによって鋲はバッグ底面１に取り付けられている。また軸部４の円柱形状部側面にはねじ部６ｂが加工さている。
蓋としてのねじ付き蓋７は軸部４の円柱形状部、および半球形状部の外側を覆える形状をしている。またねじ付き蓋７の内面にはねじ部６ｃが加工されていて、ねじ部６ｃが軸部４のねじ部６ｂとかみ合い、締めこまれることによってねじ付き蓋７の上部が軸部４の円盤形状部下面と接触し、ねじ付き蓋７が保持されることで、ねじ付き蓋７は鋲の先端部と側面部を覆った状態で鋲に付け外し式に固定可能となっている。
このとき、軸部４の半球形状部とねじ付き蓋７の内面の間は一定の隙間８ができるようになっており、バッグを地面等に置いた時に軸部４の半球形状部に付着した汚れがねじ付き蓋７の内面に付着することを防ぐため、ねじ付き蓋７を使用しない時にねじ付き蓋７を例えばバッグ内に保管する際に、ねじ付き蓋７の内面に付着した汚れが剥離し、バッグ内を汚染することを防ぐことができる。
また軸部４の先端部が半球形状をしていることによって、バッグを地面等に置いた時に軸部４と地面等の接触面積が小さくなるため、軸部４に付着する汚れを少なくすることができる。ただし軸部４、およびねじ付き蓋７の外形状は、円柱形状と半球形状を組み合わせた形状である必要はなく、一般的な底鋲のように、半球形、円筒形、円錐形など、様々な形としてもよい。
【実施例２】
【００１０】  図３は本発明を実施した底鋲の別の例の断面図である。鋲は、磁性材料でできており円盤の下面を２段階円形に掘り込んだ形状をしているつば部９と、円盤形状をしておりつば部９の２段目の掘り込み部内に磁力によって吸着している磁石１０と、非磁性材料でできており円柱形状の下部に半球形状を組み合わせた形状をしていてつば部９の１段目の掘り込み部に接着や圧入などによって取り付けられた軸部４と、円形をしておりつば部９の上部に貼付された粘着体としての両面粘着シール１１で構成されており、両面粘着シール１１によってバッグ底面１に貼り付けられて固定されている。また軸部４の半球形状部が鋲の先端部となり、円柱形状部が鋲の側面部となる。
蓋としての磁性体蓋１２は磁性材料でできており、軸部４の先端部、および側面部の外側を覆える形状をしている。
磁性体蓋１２を鋲に固定する際に、磁性体蓋１２の上部がつば部９の下面に接触するが、磁石１０によりつば部９が磁化されているため、つば部９が磁性体蓋１２を磁力で吸着し、磁性体蓋１２が保持されることで、磁性体蓋１２は鋲の先端部と側面部を覆った状態で鋲に付け外し式に固定可能となっている。このとき、軸部４が非磁性材料でできていることから磁性体蓋１２を鋲に対して脱着する際に磁性体蓋１２が軸部４に磁力で吸着されることがないため、脱着作業を阻害しない。
また磁石１０をつば部９でなく、磁性体蓋１２の内側等に固定し、磁性体蓋１２を磁化することで磁性体蓋１２をつば部９に吸着し、磁性体蓋１２を鋲に付け外し式に固定可能としてもよい。また磁力によって吸着し保持可能であれば磁性体蓋１２はつば部９に接触していなくてもよい。
また鋲はバッグ底面１に両面粘着シール１１によって取り付けられているため、バッグ底面１に穴を開ける必要がない。
【符号の説明】
【００１１】    １    バッグ底面
２    鋲
３    蓋
４    軸部
５    取り付けねじ
６ａ  ねじ部
６ｂ  ねじ部
６ｃ  ねじ部
７    ねじ付き蓋
８    隙間
９    つば部
１０  磁石
１１  両面粘着シール
１２  磁性体蓋
【図１】
2018110821.tif 000003
【図２】
2018110821.tif 000004
【図３】
2018110821.tif 000005